(57)【特許請求の範囲】
【請求項１】
リムと、溝付端面と、エクステンションを有するほぼ楕円形の円筒状のハウジングと；
前記溝付端面固定されたマウント・アセンブリであり、拡張可能な第１のラッチおよび拡張可能な第２のラッチを具え、当該第１のラッチおよび第２のラッチがそれぞれ、拡張していない場合に前記リムと実質的に同一面であるファスナ・バーを具えるマウント・アッセンブリと；
前記マウント・アセンブリと溝付端部を通る第１の開口と；
前記エクステンションを通る第２の開口と；
前記ハウジング内部に格納された制御システムであって、通信コントローラを有する制御システムと；
前記通信コントローラに接続され、前記第１の開口から突出している通信プラグと；
前記通信コントローラに接続され、前記第２の開口に露出した通信ポートとを具えることを特徴とする減圧治療コンポーネント・モジュール。
【請求項２】
請求項１に記載のモジュールにおいて、前記通信コントローラはコントローラ・エリア・ネットワーク・コントローラであることを特徴とするモジュール。
【請求項３】
請求項１に記載のモジュールにおいて、前記エクステンションが、第１のリッジと、この第１のリッジに対向している第２のリッジを具えることを特徴とするモジュール。
【請求項４】
請求項１に記載のモジュールにおいて、前記第２のラッチが軸を中心に回転して、前記ファスナ・バーを拡張することを特徴とするモジュール。
【請求項５】
治療コントローラと通信コントローラを持つ制御システムと；
当該通信コントローラに接続された通信ポートと；
前記治療コントローラに接続された減圧源と；
当該減圧源と流体連通しているマニフォールド・ユニットと；
前記通信ポートを介して制御システムに接続された取外し可能なコンポーネント・モジュールと；
制御システムを内蔵する第１のハウジングであって、ショルダーとエクステンション表面を具える第１のハウジングと；
コンポーネント・モジュールを内蔵する第２ハウジングであって、リムと溝付端面を具える第２ハウジングと；
ラッチを有するマウント・アセンブリと；
当該マウント・アセンブリと前記溝付端面を通る第１の開口と；
前記通信ポートがそれを通って前記エクステンション表面に露出している第２の開口であって、前記第１の開口と整列している第２の開口とを具え、
前記溝付端面が前記エクステンション表面を受けて、前記ラッチが前記エクステンション表面に連結して、前記第２ハウジングを前記第１ハウジングに取付けることを特徴とする減圧治療システム。
【請求項６】
請求項５に記載のシステムにおいて、前記エクステンション表面がリッジを具え、前記ラッチが前記リッジに連結して、前記第２ハウジングを前記第１ハウジングに取付けることを特徴とするシステム。
【請求項７】
請求項５に記載のシステムにおいて、前記エクステンション表面がリッジを具え、前記ラッチが、前記第２ハウジングを前記第１ハウジングに取付けるための前記リッジに重なるファスナ・バーを具えることを特徴とするシステム。
【請求項８】
請求項５に記載のシステムにおいて、前記エクステンション表面が第１のリッジと第２のリッジを具え、前記マウント・アセンブリが、前記第２ハウジングを前記第１ハウジングに取付けるために、前記第１のリッジと前記第２のリッジに重なる第１のファスナ・バーと第２のファスナ・バーを具えることを特徴とするシステム。
【請求項９】
請求項５に記載のシステムにおいて、前記第１のハウジングと第２のハウジングが実質的に楕円形の円筒であることを特徴とするシステム。
【請求項１０】
治療コントローラと通信コントローラを持つ制御システムと；
当該通信コントローラに接続された通信ポートと；
前記治療コントローラに接続された減圧源と；
当該減圧源と流体連通しているマニフォールド・ユニットと；
前記通信ポートを介して制御システムに接続された取外し可能なコンポーネント・モジュールとを具え、
前記通信コントローラがコントローラ・エリア・ネットワーク・コントローラであることを特徴とする減圧治療システム。
【請求項１１】
治療コントローラと通信コントローラを持つ制御システムと；
当該通信コントローラに接続された通信ポートと；
前記治療コントローラに接続された減圧源と；
当該減圧源と流体連通しているマニフォールド・ユニットと；
前記通信ポートを介して制御システムに接続された取外し可能なコンポーネント・モジュールとを具え、
前記コンポーネント・モジュールが創傷カメラであることを特徴とする減圧治療システム。
【請求項１２】
治療コントローラと通信コントローラを持つ制御システムと；
当該通信コントローラに接続された通信ポートと；
前記治療コントローラに接続された減圧源と；
当該減圧源と流体連通しているマニフォールド・ユニットと；
前記通信ポートを介して制御システムに接続された取外し可能なコンポーネント・モジュールとを具え、
前記コンポーネント・モジュールが循環性皮膚ストレッチャ（ｃｙｃｌｉｃ  ｓｋｉｎ  ｓｔｒｅｔｃｈｅｒ）であることを特徴とする減圧治療システム。
【請求項１３】
治療コントローラと通信コントローラを持つ制御システムと；
当該通信コントローラに接続された通信ポートと；
前記治療コントローラに接続された減圧源と；
当該減圧源と流体連通しているマニフォールド・ユニットと；
前記通信ポートを介して制御システムに接続された取外し可能なコンポーネント・モジュールとを具え、
前記コンポーネント・モジュールは容量型創傷輪郭マッピング・モジュールであることを特徴とする減圧治療システム。
【請求項１４】
治療コントローラと通信コントローラを持つ制御システムと；
当該通信コントローラに接続された通信ポートと；
前記治療コントローラに接続された減圧源と；
当該減圧源と流体連通しているマニフォールド・ユニットと；
前記通信ポートを介して制御システムに接続された取外し可能なコンポーネント・モジュールとを具え、
前記コンポーネント・モジュールが創傷床ｐＨモニタであることを特徴とする減圧治療システム。
【請求項１５】
治療コントローラと通信コントローラを持つ制御システムと；
当該通信コントローラに接続された通信ポートと；
前記治療コントローラに接続された減圧源と；
当該減圧源と流体連通しているマニフォールド・ユニットと；
前記通信ポートを介して制御システムに接続された取外し可能なコンポーネント・モジュールとを具え、
前記コンポーネント・モジュールは創傷部環境制御モジュールであることを特徴とする減圧治療システム。
【請求項１６】
治療コントローラと通信コントローラを持つ制御システムと；
当該通信コントローラに接続された通信ポートと；
前記治療コントローラに接続された減圧源と；
当該減圧源と流体連通しているマニフォールド・ユニットと；
前記通信ポートを介して制御システムに接続された取外し可能なコンポーネント・モジュールとを具え、
前記コンポーネント・モジュールが創傷部温湿度モニタであることを特徴とする減圧治療システム。
【請求項１７】
治療コントローラと通信コントローラを持つ制御システムと；
当該通信コントローラに接続された通信ポートと；
前記治療コントローラに接続された減圧源と；
当該減圧源と流体連通しているマニフォールド・ユニットと；
前記通信ポートを介して制御システムに接続された取外し可能なコンポーネント・モジュールとを具え、
前記コンポーネント・モジュールは電気刺激モジュールであることを特徴とする減圧治療システム。
【請求項１８】
治療コントローラと通信コントローラを持つ制御システムと；
当該通信コントローラに接続された通信ポートと；
前記治療コントローラに接続された減圧源と；
当該減圧源と流体連通しているマニフォールド・ユニットと；
前記通信ポートを介して制御システムに接続された取外し可能なコンポーネント・モジュールとを具え、
前記コンポーネント・モジュールは紫外線治療モジュールであることを特徴とする減圧治療システム。
【請求項１９】
治療コントローラと通信コントローラを持つ制御システムと；
当該通信コントローラに接続された通信ポートと；
前記治療コントローラに接続された減圧源と；
当該減圧源と流体連通しているマニフォールド・ユニットと；
前記通信ポートを介して制御システムに接続された取外し可能なコンポーネント・モジュールとを具え、
前記コンポーネント・モジュールが創傷治癒マーカ測定モジュールであることを特徴とする減圧治療システム。
【発明の詳細な説明】
【技術分野】
【０００１】
本発明は一般的に、細胞組織の治療システム、そして特に減圧治療システム用のコンポーネント・モジュールに係わるものである。
【背景技術】
【０００２】
臨床研究と実務は、組織部位に近接して減圧治療を施すことは、組織部位の増大と新しい細胞組織の成長を促進することを明らかにした。この現象の適用例は非常に多いが、減圧に関する適用は創傷治療において特に成功してきている。この治療法（医療界においてはしばしば「負圧創傷療法」、「減圧療法」あるいは「真空療法」と称されている）は、より速やかな治癒および増加した肉芽組織形成を含めて、数多くの利点を提供している。典型として、減圧はポーラス状のパッドあるいは他のマニフォールド・ユニットを通して組織細胞に適用される。ポーラス状のパッドは、組織細胞への減圧を分散させることができ、組織細胞から滲み出る液を流すことができる気室もしくは微細孔を具えている。ポーラス状のパッドは、治療を促進するその他の構成部品を有するドレッシングと一体化されていることがしばしばである。
【０００３】
現行の減圧治療システムは、商業的にも医学的にも幅広い成功を収めているが、更に包括的な治療処方を提供するべくこられのシステムの機能を拡張するのに有利であり得る。
【０００４】
従って、更なる治療法の特徴とオプションを提供すべく、コンポーネント・モジュールを拡張性を具えた減圧治療システムおよび他のモジュールに結合できる、拡張型の減圧治療システムへの需要がある。
【発明の概要】
【０００５】
従来型の減圧治療システムにおける制限は、本発明のシステムと方法によって改善される。減圧治療システム用の接続可能なコンポーネント・モジュールが、本発明の原理によって提供される。このモジュールは、大まかに、リムを有するハウジング部と、溝付端面と、エクステンション部を具える。装着アセンブリが溝付端面に固定されており、拡張可能な第１ラッチと拡張可能な第２ラッチを具える。第１ラッチおよび第２ラッチはそれぞれファスナ・バーを具えており、このファスナ・バーは、第１及び第２のラッチが拡張されていないときにリムと同一平面になる。第１の開口が装着アセンブリと溝付端面を通って延在しており、第２の開口はエクステンション部を通って延在している。このモジュールはまた、ハウジング内部にコントロール・システムを格納している。該コントロール・システムは、コントローラ・エリア・ネットワークコントローラなどの通信コントローラや、この通信コントローラに接続され第１の開口を通って突出している通信用プラグ、及び、通信コントローラに接続されて第２の開口に露出している通信ポートを具えている。
【０００６】
また本発明の原理によれば、拡張可能な減圧治療システムが提供される。該システムは、治療コントローラと、コントローラ・エリア・ネットワーク・コントローラなどの通信コントローラと、この通信コントローラに接続された通信ポートと、治療コントローラに接続された減圧源と、を有する制御システムを具えている。マニフォールド・ユニットは減圧源と流体連通している。取外し可能なコンポーネント・モジュールが通信ポートを介して制御システムに接続されている。
【０００７】
本発明のその他の目的、特徴および利点は、以下に続く図面と詳細な説明によって明らかにされる。
【図面の簡単な説明】
【０００８】
【図１】図１は、本発明の一実施例による減圧治療システムの概略図である。
【図２】図２は、本発明の一実施例による減圧制御ユニットの例示的な制御システムのブロックチャートである。
【図３】図３は、図２の制御システムを収納する制御ユニットの一実施例を示す正面図である。
【図４】図４は、図３の制御ユニットと同様の制御ユニットの４−４線に沿った部分的拡大断面図である。
【図５】図５は、図３の制御ユニットと同様の制御ユニットの５−５線に沿った部分的拡大断面図である。
【図６】図６は、本発明の一実施例によるコンポーネント・モジュールの第一の端部の斜視図である。
【図７】図７は、図６に示すコンポーネント・モジュールの第二の端部の斜視図である。
【図８】図８は、図６に示すコンポーネント・モジュールの第一の端部の斜視図であり、ラッチが拡張した状態を示す。
【図９】図９は、図６に示すコンポーネント・モジュールの第二の端部の斜視図であり、ラッチが拡張した状態を示す。
【図１０】図１０は、図６に示すコンポーネント・モジュールの通信プラグを拡大した斜視図である。
【発明を実施するための形態】
【０００９】
好適な実施例の詳細を以下に説明するにあたり、実施例の一部をなす添付図面に符号が付されている。ここでは、本発明を実施することができる好適な実施例を詳細に図解されている。これらの実施例は、当業者がこの発明を実施できるよう充分に詳細が記載されており、他の実施例は有用であり、本発明の主旨と範囲から外れること無く、理論的・構造的・機械的・電気的な変更をすることができると理解される。当業者が本発明を実施するのに不要な細事を避けるために、本明細書は、当業者に公知である一定の情報は割愛している。従って、それゆえに、以下の詳細な説明は限定的に解されるべきでなく、また本発明の範囲は、請求項によってのみ定義されるものである。
【００１０】
本明細書の文脈において、用語「減圧」は、一般的に治療の対象となる組織部位の周囲圧力よりも低い圧力を意味する。殆どの場合、この減圧は、患者が置かれた場所の大気圧よりも低い。用語「真空」および「負圧」は、ここでは組織部位に適用した圧力を記するのに使用されているが、組織部位に適用される実際の圧力は、通常、完全な真空に伴う圧力よりも相当に小さい。この用語に合わせて、減圧あるいは真空圧における“増加”とは絶対圧力の相対的な減少を意味し、これに対して、減圧あるいは真空圧における“減少”とは絶対圧力の相対的な増加を意味する。
【００１１】
図１は本発明による減圧治療システム１００の概略図である。減圧治療システム１００は、治療のために組織部位１２０に、あるいは組織部位１２０内に当てるマニフォールド・ユニットを有するドレッシング１１０を具える。ドレッシング１１０は導管１３０を介して減圧源１２０と流体連通している。ある実施例では、減圧源１２０は以下に記すように減圧制御ユニット１４０と一体型でもよく、減圧治療システム１００はまた、細胞組織から抽出された液体及びその他の非ガス状滲出液を回収するキャニスター１５０を具える。
【００１２】
図２は、減圧制御ユニット１４０の例示的な制御システム２００のブロック図である。制御システム２００は、治療コントローラ２０２およびグラフィカル・ユーザーインターフェイス（ＧＵＩ）コントローラ２０４を具えている。治療コントローラ２０２は、ソフトウェア２０８を実行する一又はそれ以上のプロセッサ２０６を具える。プロセッサ２０６はメモリ２１０および入出力（Ｉ／Ｏ）ユニット２１２と通信する。ソフトウェア２０８は、細胞組織治療のコントロールや、センサのモニタリング、ならびにアラームの発生、及びＩ／Ｏユニット２１２とＧＵＩコントローラ２０４と共働する制御ユニット１４０の外部システムと装置との通信など、減圧治療システム１００の数多くの様々な操作を制御するように構成されている。ソフトウェア２０８は更に、様々な及び／又はその他の機能を実行するよう構成できると理解される。
【００１３】
Ｉ／Ｏユニット２１２は、制御システムを例えば外部モジュールやシステムおよびネットワークと通信可能とする。一実施例においては、ここで更に述べるように、Ｉ／Ｏユニット２１２がコントローラ・エリア・ネットワーク（ＣＡＮ）あるいは仕様変更したＣＡＮと接続して動作することができる。プロセッサ２０６は更に、ソフトウェアを実行してＩ／Ｏユニット２１２経由で受け取ったＣＡＮデータを処理する。
【００１４】
ディスク・ドライブ又は記録媒体などのストレージ・ユニット２１４が、治療コントローラ２０２と通信することができる。データベース２１６ａ−２１６ｎ（集合的に２１６）を用いて、治療情報やその他の情報を保存する。このデータベースはリレーショナルデータベースとして、あるいはその他のデータベースとして構築することができる。ソフトウェアなどのその他の情報はストレージ・ユニット２１４に保存することができる。
【００１５】
ＧＵＩコントローラ２０４は、ソフトウェア２２０を実行する一又はそれ以上のプロセッサ２１８を具える。ソフトウェア２２０は、オペレータ、患者、技術者、またはその他ユーザがインターフェースをとってシステム１００を制御する画像処理用ユーザインターフェイスを生成するように構成されている。プロセッサ２１８は、メモリ２２２、Ｉ／Ｏユニット２２４及びディスプレイ・ドライバ２２６と通信することができる。メモリ２２２はＧＵＩ表示に関係する現パラメータを保存することができる。例えば、ＧＵＩが特定のスクリーン・ショットを表示するために用いられている場合、該スクリーン・ショットはメモリ２２２に保存することができる。Ｉ／Ｏユニット２２４は、治療コントローラ２０２と他の機器とのインターフェイスを取るために用いられる。
【００１６】
ディスプレイ及びタッチスクリーン・アセンブリ２２８は、ＧＵＩコントローラ２０４に接続されており、ＧＵＩコントローラ２０４で生成されるＧＵＩを表示するために用いられる。スクリーン２２８は、この分野で理解されているように、オペレータが指あるいはタッチペンでスクリーンに触れるだけでＧＵＩとのインターフェイスを取ることができる。タッチスクリーンを用いることによって、キーボードあるいはキーパッドを省いてもよい。しかしながら、外付のキーボードあるいはキーパッドを、本発明の原理に則って用いてもよい。バックライト・インバータ２３０は、ＧＵＩコントローラ２０４とスクリーン・アセンブリ２２８に接続されている。代替的に、バックライト・インバータ２３０をスクリーン・アセンブリ２２８に組み込んでもよい。操作に際しては、バックライト・インバータが周囲の様々な照明条件に応じてスクリーン・アセンブリ２２８を変えることができる。例えば、システム１００のユーザは夜間に患者を治療することもあり、バックライト・インバータ２３０を使用して、スクリーン・アセンブリ２２８のバックライトを選択的に点灯させて、ＧＵＩをより良く見ることができる。代替的に、バックライト・インバータを用いて、夜間はスクリーン・アセンブリ２２８上のライトを消せるようにして、患者がより暗い環境の中で眠れるようにすることもできる。
【００１７】
スピーカ２３２は、ＧＵＩコントローラ２０４と通信することができる。このスピーカは、アクションが求められたりアラーム条件が発生したときに、ユーザに音による通報を提供するために用いられる。
【００１８】
本発明の原理によって、一体型のディスプレイ・インターフェイス（ＵＤＩ）２３４が利用されている。ＵＤＩ２３４は、ビデオ・プレゼンテーションを補助するデジタル・ビデオインターフェイスとして用いられる。更に、複数の通信ポート２３６が設けられており、ユーザは外部機器をコントロール・システム２００に繋ぐことができる。例えば、入力ポート２３６は、コントロール・システム２００が他の治療システムとのインターフェイスを取ることができるようにするＣＡＮポート２３６ａや、ユーザがある機器から別の機器へデータを転送できるようにするメモリーカード・ポート２３６ｂ、オペレータがプリンタ等の機器をコントロール・システム２００に接続することができるようにするユニバーサル・シリアル・バス（ＵＳＢ）、及びユーザが赤外線データ・アソシエーション（ＩｒＤＡ）ポート付に構成されたその他のデバイスとシステムとのインターフェイスを取ることができるようにするＩｒＤＡポート２３６ｄを具えていてもよい。現在入手可能なあるいは今後入手可能となるその他の通信ポートは、本発明の原理に則って利用できると理解されるべきである。例えば、ローカルエリアあるいは広域エリア・ネットワークと接続する通信ポートを設けて、ユーザがコントロール・システム２００をネットワークに繋げることができるようにしてもよい。
【００１９】
コントローラ・エリア・ネットワークは、元来１９８０年代初頭に自動車用に開発された通信バスの一つである。ＣＡＮプロトコルは１９９３年にＩＳＯ１１８９８−１として国際標準となったものであり、ＩＳＯ／ＯＳＩリファレンス・モデルの七層のデータリンクを含む。今日、ハードウェアの形態で無数の半導体メーカから入手できるＣＡＮは、(ｉ)メッセージ送信（データフレーム送信）と、（ｉｉ）メッセージ要求（遠隔通信リクエスト  ＲＴＲ）の二つの通信方式を提供している。エラーシグナリングやエラーフレームの自動再送信のようなその他の全サービスは、ユーザに見えるものであり、これは特別なプログラミングを必要とせずにＣＡＮ回路が自動的にこれらのサービスを実行することを意味する。
【００２０】
ＣＡＮコントローラは、言うならばプリンタやタイプライタに匹敵する。言語・文法・語彙が特定用途向けに決められている。ＣＡＮは、知的で代理機能システムの構築を可能とするマルチ・マスタ・ヒエラルキーを提供する。細胞組織治療システムと一緒にＣＡＮを使用することは、以下に言及するとおり、追加のコンポーネントがシステムと連動して動作することを可能にする。コンポーネント・モジュールはノード接続ポイントとして機能し、そこでＣＡＮ上の各ノードがメッセージを受け取って、そのメッセージが有意であるか否かを決定する。システム中の全てのデバイスが同一情報を受けるので、データの整合性が維持される。ＣＡＮはまた精緻なエラー検出メカニズムと、不完全メッセージの再送信を提供する。
【００２１】
一実施例においては、言語、文法、語彙はシステム向けにカスタマイズして、同じ言語、文法、語彙を持つデバイスのみがシステムと通信できるようにしてもよい。このようなカスタマイズされた、あるいは、私有のシステムで操作することによって、システムとのインターフェイスを取るモジュール及び機器の品質コントロールを維持することができる。
【００２２】
図２を参照すると、操作にあたり、通信ポート２３６を用いてユーザは制御システムとの間でデータを入出力することができる。例えば、患者情報や治療情報、及び患者の傷に関連する画像情報を通信ポート２３６を介して通信することができる。ソフトウェアの更新情報を含むその他の情報は、一又はそれ以上の通信ポート２３６を介して通信される。
【００２３】
リチウムイオン（Ｌｉ−Ｉｏｎ）・バッテリ２３８とＤＣソケット２４０が、治療コントローラ２０２に接続されている。外部接続アダプタ（図示せず）は、壁面ソケット（図示せず）に接続されて、治療コントローラ２０２および制御システム内の他の電気機器へのＤＣ電力供給用にＡＣ電源をＤＣ電源に変換する。外部電源がダウンした場合に、リチウムイオン・バッテリ２３８が制御システム２００に電力を供給する。代替的に、制御システム２００を電源の無い所で使用する場合やバッテリ・パワーを信頼して使用する場合には、リチウムイオン・バッテリ２３８がコントロール・システム２００に電力を供給する。
【００２４】
マニフォールド・コントローラ２４０は、治療コントローラ２０２に接続されており、ドレッシング１１０の各種デバイスを制御して、ドレッシング１１０に配置されたセンサ類からのフィードバック情報を受け取る。マニフォールド・コントラーラ２４０は、治療中に治療コントローラ２０２と通信することができる。マニフォールド・コントローラ２４０は、ドレッシング１１０の各種デバイスとの通信用のアナログおよびデジタル回路（図示せず）を具えている。一の実施例において、マニフォールド・コントローラ２４０は、一またはそれ以上のデジタル−アナログ（Ｄ／Ａ）およびアナログ−デジタル（Ａ／Ｄ）コンバータ（図示せず）を具えており、デジタルおよびアナログ信号をドレッシング１１０の各種デバイス間で送信できるようにしている。更に、一またはそれ以上の複数のアンプ（図示せず）をマニフォールド・コントローラ２４０に付加してもよい。
【００２５】
図に示すように、数多くの変換器（すなわちセンサ群）およびデバイス類をマニフォールド・コントローラ２４０に接続することができる。真空ポンプ２４２などの減圧源は、マニフォールド・コントローラ２４０に接続されている。バルブ２４４とポンプ・バルブ２４６がマニフォールド・コントローラ２４０に接続されており、これを用いてマニフォールド・ユニット内部を移動するエアをコントロールする。流量センサ２４８や周囲圧力センサ２５０、フィードバック圧力センサ２５２、及びポンプ圧力センサ２５４を含めて数多くのセンサが、マニフォールド・コントローラ２４０に接続されている。これらのセンサ群はこの分野で知られている従来のエアフローおよび圧力センサであってよい。キャニスタ・リリースボタンＬＥＤ２５６が、マニフォールド・コントローラ２４０に接続されている。
【００２６】
動作中、マニフォールド・コントローラ２４０は、治療コントローラ２０２とドレッシング１１０に接続されたデバイス群との間で信号を通信する。信号通信を行うにあたり、マニフォールド・コントローラ２４０はアナログ信号とデジタル信号の変換を行うことで信号を調整し、信号を増幅し、バキューム・ポンプ２４２とバルブ２４４および２４６への駆動信号を増幅する。一実施例においては、マニフォールド・コントローラ２４０は、ローカル処理を実行するためのプロセッサ（図示省略）を具えており、この処理の幾つかを担当させるべく制御を行うほか、治療コントローラ２０２のプロセッサ２０６を制御する。
【００２７】
図３は、制御システム２００を内蔵する制御ユニット３００の一実施例の正面図である。図３に示すとおり、制御ユニット３００は、ショルダー３１０とエクステンション３１５を有するハウジング３０５を具えている。エクステンション３１５は端面３２０、第１のリッジ３２５および第２のリッジ３３０を具えている。第２のリッジは一般的に、端面３２０上で第１のリッジ３２５に実質的に対向して配置されている。図３に示す制御ユニット３００の全体的なステップは楕円形のシリンダであるが、制御システム２００と減圧源１２０に充分な内容量を提供するものであればどのような幾何学的構造であっても良い。エクステンション３１５は開口３３５を有しており、これを通してＣＡＮポート２３６ａが端面３２０の外側に露出している。
【００２８】
図４は、制御ユニット３００と同様の制御ユニットの４−４線に沿った部分的断面を拡大して示す図である。特に、図４は、ショルダー４１０とエクステンション４１５を有するハウジング４０５を部分的に示している。エクステンション４１５は端面４２０と第１のリッジ４２５、及び第１のリッジ４２５に実質的に対向する第２のリッジ４３０を具えている。開口４３５は、端面４２０の外側からハウジング４０５の内側に延在している。
【００２９】
図５は、コントロール・ユニット３００と同様の制御ユニットの５−５線に沿った部分的断面を拡大して示す図である。特に、図５は、ショルダー５１０と端面５２０を伴うエクステンション５１５を有するハウジング５０５を部分的に図示している。
【００３０】
制御ユニットのいずれの実施例においても、ハウジングは別の部品として製造してから組み立てるか、あるいは単体のユニットとして製造するようにしてもよい。
【００３１】
図６は、コンポーネント・モジュール６００の一実施例における第一の端部の斜視図である。コンポーネント・モジュール６００は、限定するものではないが、創傷カメラ，循環的／次世代皮膚組織（ｃｙｃｌｉｃ／ｇｅｎｅｒａｔｉｏｎ  ｓｋｉｎ）、ストレッチング、容量ボリュームおよび創傷輪郭マッピング、創傷床ｐＨモニタ、創傷部加温／環境制御、創傷部温湿度モニタ、電気刺激、紫外線療法、ならびに創傷治癒マーカ測定を具え、細胞組織治療に有用な数々の器具類を具える。コンポーネント・モジュール６００は通常、既述の制御システム２００と同様の制御システムを具えている。特に、コンポーネント・モジュール６００はＣＡＮコントローラ（図示せず）およびＣＡＮポート（図７参照）を具えている。コンポーネント・モジュール６００はまた、ＣＡＮプラグ６１０を具えており、これは開口６１５から突出して、制御システム２００のＣＡＮポート２３６ａとのインターフェイスを取っている。図６に示すとおり、コンポーネント・モジュール６００は、リム６２５、溝付端面６３０、及びノッチ６３２を有するハウジング６２０を具えている。コンポーネント・モジュール６００は更に、溝付端面６３０への固定用のマウント・アセンブリ６３５を具えている。マウント・アセンブリ６３５は、ノッチ６３２内に配置された第１のラッチ６４０と第２のラッチ６４５を具える。第１のラッチと第２のラッチはそれぞれ、図６に示す構成において、リム６２５と実質的に同一面にあるファスナ・バー６５０を有する。ファスナ・バー６５０は、図４に示すリッジ４２５と４３０などの、他のモジュールあるいはコントロール・ユニット上のリッジと重なるように構成されている。
【００３２】
図７は、図６に示すコンポーネント・モジュール６００の第二の端部の斜視図である。この斜視図は、図３乃至図５を参照して述べたコントロール・ユニット３００の構成と実質的に同じものを示しており、減圧治療システムの機能を必要に応じて拡張するのに必要があれば、追加のコンポーネント・モジュールを鎖状もしくは直列に接続することができる。特に、コンポーネント・モジュール６００は、ショルダー７０５ならびに該ショルダーに固定されたエクステンション７２５そして端面７１５を持つ外表面６２０を具えている。エクステンション７１０は更に、第１のリッジ７２０と、一般的に第１リッジ７２０の反対側に設けらた第２のリッジ７２５、及びＣＡＮポートを端面７１５の外側に露出させる開口７３０を具えている。
【００３３】
説明のため図８を参照すると、第１のラッチ６３０および第２のラッチ６３５を拡張して、コンポーネント・モジュール６００を制御ユニットもしくはその他のコンポーネント・モジュールに装着することができる。代替の実施例においては、第１のラッチ６３０あるいは第２のラッチ６３５、もしくはこれら双方は、ラッチのファスナ・バーのみが拡張するようにピンを中心に回転するようにしてもよい。マウント・アセンブリ６３５を拡張することで、ファスナ・バー６５０を別のコンポーネント・モジュールあるいは制御ユニット上のリッジの上に配置して、エクステンション部の上におりたたんで、コンポーネント・モジュール６００を固定することができる。
【００３４】
図９は、図７に示すコンポーネント・モジュール６００の第２端部を、拡張した第１のラッチ６３０と共に示す。
【００３５】
図１０は、ＣＡＮプラグ６１０の一実施例の拡大した斜視図である。この実施例においてＣＡＮプラグ６１０は、ＣＡＮポートの対応するプレートコネクタに整列する複数のピンコネクタで構成されている。各ピンコネクタはコンポーネント・モジュール内で所望のとおりに制御システムに結線されている。
【００３６】
以上のことから、有意な利点を有する発明が提供されていることが明らかである。本発明はその実施形態の幾つかが示されたのみであり、これに限定されるべきものではなく、この本旨から離れることなく様々な変更や改良をも受入れる余地が有る。
【図１】
0004779045.tif 000002
【図２】
0004779045.tif 000003
【図３】
0004779045.tif 000004
【図４】
0004779045.tif 000005
【図５】
0004779045.tif 000006
【図６】
0004779045.tif 000007
【図７】
0004779045.tif 000008
【図８】
0004779045.tif 000009
【図９】
0004779045.tif 000010
【図１０】
0004779045.tif 000011